(57)【要約】      （修正有）【課題】人間が健康維持、増進の目的で行うヨガのポーズをとる猫形状で縫いぐるみ形態の人形を提供する。【解決手段】人形１は、全体として猫の姿を模し、正面から見て両後足２を曲げて座り、胴体３を真っすぐ直立状態に伸ばし、両前足４を頭部５より上方に伸ばして合掌し、かつ、顔部６を前方斜め上方に向けた姿態のヨガのポーズをとる縫いぐるみ形態として形成したものである。【選択図】図１
0003116698.tif 000002
【実用新案登録請求の範囲】
【請求項１】
姿態をヨガのポーズとした猫の縫いぐるみ形態として形成したことを特徴とする人形。
【請求項２】
姿態をヨガのポーズとし、色付き又は模様付きの猫の縫いぐるみ形態として形成したことを特徴とする人形。
【請求項３】
姿態を後足座り、両前足上方伸ばし合掌形のヨガのポーズとし、色又は模様付きの猫の縫いぐるみ形態として形成したことを特徴とする人形。
【請求項４】
姿態を頭部着地逆立ち形かつ後足片方上方伸ばし形のヨガのポーズとし、色又は模様付きの猫の縫いぐるみ形態として形成したことを特徴とする人形。
【請求項５】
姿態を座位で振り向き形のヨガのポーズとし、色又は模様付きの猫の縫いぐるみ形態として形成したことを特徴とする人形。
【請求項６】
姿態を後足立ち前方かがみ形のヨガのポーズとし、色又は模様付きの猫の縫いぐるみ形態として形成したことを特徴とする人形。
【請求項７】
姿態を前足立ち座位で後足後方伸ばし形のヨガのポーズとし、色又は模様付きの猫の縫いぐるみ形態として形成したことを特徴とする人形。
【請求項８】
姿態を後足立ち仰向け屈曲形のヨガのポーズとし、色又は模様付きの猫の縫いぐるみ形態として形成したことを特徴とする人形。
【請求項９】
姿態を前足立ち両前足拝み形のヨガのポーズとし、色又は模様付きの猫の縫いぐるみ形態として形成したことを特徴とする人形。
【請求項１０】
姿態を座位で両後足開きかつ後足片方上げ形のヨガのポーズとし、色又は模様付きの猫の縫いぐるみ形態として形成したことを特徴とする人形。
【請求項１１】
姿態を後足立ち前方屈曲形のヨガのポーズとし、色又は模様付きの猫の縫いぐるみ形態として形成したことを特徴とする人形。
【請求項１２】
姿態を横臥後足抱え形のヨガのポーズとし、色又は模様付きの猫の縫いぐるみ形態として形成したことを特徴とする人形。
【請求項１３】
姿態を背部着地、後足頭部側への屈曲曲げ形のヨガのポーズとし、色又は模様付きの猫の縫いぐるみ形態として形成したことを特徴とする人形。
【請求項１４】
姿態を前足着地逆立ち形のヨガのポーズとし、色又は模様付きの猫の縫いぐるみ形態として形成したことを特徴とする人形。
【請求項１５】
姿態を胸部着地、後足片方上方上げ形のヨガのポーズとし、色又は模様付きの猫の縫いぐるみ形態として形成したことを特徴とする人形。
【請求項１６】
姿態を背部屈曲着地、両後足前方伸ばし形のヨガのポーズとし、色又は模様付きの猫の縫いぐるみ形態として形成したことを特徴とする人形。
【請求項１７】
姿態を後転形で後足片方上方伸ばし形のヨガのポーズとし、色又は模様付きの猫の縫いぐるみ形態として形成したことを特徴とする人形。
【請求項１８】
姿態を左前足片方着地、左後足片方着地、右前足で右後足つかみ形のヨガのポーズとし、色又は模様付きの猫の縫いぐるみ形態として形成したことを特徴とする人形。
【請求項１９】
姿態を両後足着地、両前足斜め後方伸ばし背伸び形のヨガのポーズとし、色又は模様付きの猫の縫いぐるみ形態として形成したことを特徴とする人形。
【請求項２０】
姿態を両後足着地開脚形、左前足着地右前足斜め上方伸ばし形のヨガのポーズとし、色又は模様付きの猫の縫いぐるみ形態として形成したことを特徴とする人形。
【請求項２１】
姿態を両後足着地、両前足着地前屈形のヨガのポーズとし、色又は模様付きの猫の縫いぐるみ形態として形成したことを特徴とする人形。
【請求項２２】
姿態を両後足着地、両前足着地背伸び形のヨガのポーズとし、色又は模様付きの猫の縫いぐるみ形態として形成したことを特徴とする人形。
【請求項２３】
姿態を両後足着地、両前足着地背丸め形のヨガのポーズとし、色又は模様付きの猫の縫いぐるみ形態として形成したことを特徴とする人形。
【請求項２４】
姿態を横座り前向き形のヨガのポーズとし、色又は模様付きの猫の縫いぐるみ形態として形成したことを特徴とする人形。
【請求項２５】
姿態を横臥右後足抱え形のヨガのポーズとし、色又は模様付きの猫の縫いぐるみ形態として形成したことを特徴とする人形。
【請求項２６】
姿態を後足胡座座り、両前足添え形のヨガのポーズとし、色又は模様付きの猫の縫いぐるみ形態として形成したことを特徴とする人形。
【請求項２７】
姿態を片足座り、片足後方上げ、両前足で後足つかみ形のヨガのポーズとし、色又は模様付きの猫の縫いぐるみ形態として形成したことを特徴とする人形。
【請求項２８】
姿態を後足立ち、前足上方上げの跳躍形のヨガのポーズとし、色又は模様付きの猫の縫いぐるみ形態として形成したことを特徴とする人形。
【請求項２９】
姿態を前足立ち、後足後方伸ばし立ちで、背伸び咆哮形のヨガのポーズとし、色又は模様付きの猫の縫いぐるみ形態として形成したことを特徴とする人形。
【請求項３０】
姿態を後足座り、後足後方跳ね上げで、前足合掌形のヨガのポーズとし、色又は模様付きの猫の縫いぐるみ形態として形成したことを特徴とする人形。
【請求項３１】
姿態を後足片足立ち、後足後方伸ばし、前足前方伸ばし形のヨガのポーズとし、色又は模様付きの猫の縫いぐるみ形態として形成したことを特徴とする人形。
【請求項３２】
姿態を後足立ち、前足片方斜め上方伸ばし形のヨガのポーズとし、色又は模様付きの猫の縫いぐるみ形態として形成したことを特徴とする人形。
【請求項３３】
姿態を後足片足立ち、踊り姿のヨガのポーズとし、色又は模様付きの猫の縫いぐるみ形態として形成したことを特徴とする人形。
【請求項３４】
姿態を前かがみ座位で顔後向き、後足後方上げ形のヨガのポーズとし、色又は模様付きの猫の縫いぐるみ形態として形成したことを特徴とする人形。
【請求項３５】
姿態を背部及び両後足伸ばし着地で首横向き形のヨガのポーズとし、色又は模様付きの猫の縫いぐるみ形態として形成したことを特徴とする人形。
【請求項３６】
姿態を前向きで後足着地、前足片方口嘗め形のヨガのポーズとし、色又は模様付きの猫の縫いぐるみ形態として形成したことを特徴とする人形。
【考案の詳細な説明】
【技術分野】
【０００１】
本考案は、人形に関し、詳しくはヨガのポーズをした猫の縫いぐるみ形態の人形に関するものである。
【背景技術】
【０００２】
従来、猫や犬等々の動物形状に形成した縫いぐるみ人形が種々提案されているが、人間が健康維持、増進の目的で行うヨガに近似した姿態をとる趣向に溢れた縫いぐるみ人形は見当たらない。
【０００３】
特許文献１には、猫の形態を有する玩具本体と、ミルク瓶の形態を有する充電器とを組み合わせ、本物に近い仕草や泣き声を発するように構成した充電式音声発声動作玩具が提案されている。
【０００４】
しかし、この特許文献１の充電式音声発声動作玩具は、恰も乳児がミルク瓶を銜えてミルクを飲む形態を模したものであり、ヨガに近似した姿態をとるものではない。
【０００５】
特許文献２には、それぞれ独立の頭部、胴体部、一対の手足部を備え、好みの色や模様を表現するように構成した動物形状の人形玩具が提案されている。
【０００６】
しかし、この特許文献２の人形玩具も、手足部等をある程度動かすことはできるものの、ヨガに近似した姿態をとるものではない。
【特許文献１】実開平５−８６３９３号公報
【特許文献２】特開２００５−３４４５１号公報
【考案の開示】
【考案が解決しようとする課題】
【０００７】
解決しようとする問題点は、人間が健康維持、増進の目的で行うヨガの種々のポーズをとる動物を模した縫いぐるみ人形が存在しない点である。
【課題を解決するための手段】
【０００８】
本考案の人形は、姿態をヨガのポーズとした猫の縫いぐるみ形態として形成したことを最も主要な特徴とする。
【考案の効果】
【０００９】
本考案によれば、以下の効果を奏する。
請求項１記載の考案によれば、人間が健康維持、増進の目的で行うヨガのポーズをとる斬新で趣向に溢れた猫形状の縫いぐるみ人形を提供することができ、また、全体寸法をそれぞれの目的に応じて大小に変えることで、幼児等が遊ぶための人形、携帯電話ストラップの根付け、財布飾り、ボールペントップ、キーホルダー飾り、ブローチ、ネックレス用、その他おまけ、景品、ノベリティ品等として広範囲に使用すること可能な猫形状の縫いぐるみ人形を提供することができる。
【００１０】
請求項２記載の考案によれば、請求項１記載の考案の構成に、色又は模様を付加した構成で、請求項１記載の考案の場合と同様な効果を奏する猫形状の縫いぐるみ人形を提供することができる。
【００１１】
請求項３記載の考案によれば、姿態を後足座り、両前足上方伸ばし合掌形のヨガのポーズとし、色又は模様付きの猫の縫いぐるみ形態とした構成で、請求項１記載の考案の場合と同様な効果を奏する猫形状の縫いぐるみ人形を提供することができる。
【００１２】
請求項４乃至請求項３６記載の各考案によれば、各請求項４乃至請求項３６記載の姿態とした構成で、各々請求項１記載の考案の場合と同様な効果を奏する猫形状の縫いぐるみ人形を提供することができる。
【考案を実施するための最良の形態】
【００１３】
人間が健康維持、増進の目的で行うヨガのポーズをとる斬新な動物形状の人形を提供するという目的を、姿態を後足座り、両前足上方伸ばし合掌形のヨガのポーズとし、色又は模様付きの猫の縫いぐるみ形態として形成したことにより実現した。
【実施例】
【００１４】
以下に、本考案の実施例を詳細に説明する。
（実施例１）
図１は、本考案の実施例１に係る人形１を示すものであり、この人形１は、全体として猫の姿を模し、正面から見て両後足２を曲げて座り、胴体３を真っすぐ直立状態に伸ばし、両前足４を頭部５より上方に伸ばして合掌し、かつ、顔部６を前方斜め上方に向けた姿態のヨガのポーズをとる縫いぐるみ形態として形成している。また、尾部７は、胴体３の斜め後方に伸ばした形態としている。尚、尾部７の形態は、図１に示す場合に限定されず、胴体３の後で丸めた形態、胴体３の前側に伸ばした形態等、種々の変形が可能である。
【００１５】
この人形１は、全体として猫の姿を模したスポンジ材等の芯材を綿素材、合成繊維素材等の外被により被覆して全体として上記ポーズをとる猫の縫いぐるみ形態として形成したものである。前記外被としては、赤色、青色、グレイ等所望の色を着色したものを使用する。
【００１６】
本実施例１によれば、人間が健康維持、増進の目的で行うヨガのポーズをとる斬新で趣向に溢れた猫形状の人形１を提供することができる。
【００１７】
また、本実施例１によれば、全体寸法をそれぞれの目的に応じて大小に変えることで、幼児等が遊ぶための人形、携帯電話ストラップの根付け、財布飾り、ボールペントップ、キーホルダー飾り、ブローチ、ネックレス用、その他おまけ、景品、ノベリティ品等として広範囲に使用することができる。
【００１８】
更には、前記人形１全体の平面形状を、フアッション関連商品としての各種Ｔシャツ、パジャマ、トレーナ、アンダーウェア、メリヤス製品、ハンカチ、スカーフ、テーブルウェア等や、更には、バッグ、持ち物、袋物、陶器製品等に付する装飾模様等としても応用できる。
【００１９】
（実施例２）
図２は、本考案の実施例２に係る人形１１を示すものであり、この人形１１は実施例１に係る人形１と同様な構成であるが、外被を例えば２色に色分けした横縞模様部１２（図２において、白色と灰色とに分けて示す）として構成したことが特徴である。この他の構成は実施例１に係る人形１と同一である。
【００２０】
前記横縞模様部１２の色の組み合わせとしては、例えば赤、白の組み合わせ、青、白の組み合わせ、黒、グレイの組み合わせ等、好みに応じた種々の組み合わせが可能である。
【００２１】
本実施例２によれば、実施例１の場合と同様、人間が健康維持、増進の目的で行うヨガのポーズをとる斬新で趣向に溢れた猫形状の人形１１を提供することができる。
【００２２】
また、本実施例２によれば、実施例１の場合と同様、全体寸法をそれぞれの目的に応じて大小に変えることで、幼児等が遊ぶための人形、携帯電話ストラップの根付け、財布飾り、ボールペントップ、キーホルダー飾り、ブローチ、ネックレス用、その他おまけ、景品、ノベリティ品等として広範囲に使用することができる。
【００２３】
更には、前記人形１１全体の平面形状を、フアッション関連商品としての各種Ｔシャツ、パジャマ、トレーナ、アンダーウェア、メリヤス製品、ハンカチ、スカーフ、テーブルウェア等や、更には、バッグ、持ち物、袋物、陶器製品等に付する装飾模様等としても応用できる。
【００２４】
（実施例３）
図３は、本考案の実施例３に係る人形２１を示すものであり、この人形２１は全体として猫の姿を模し、姿態を頭部５及び顔部６を着地した逆立ち形で、かつ、後足２の片方を斜め上方伸ばし、後足２のもう一つの片方を頭部５の前方に伸ばし、更に両前足４を頭部５とは反対側に伸ばしたヨガのポーズを取る縫いぐるみ形態としている。外被は赤色、青色、グレイ等所望の色に着色して構成したものである。本実施例３に係る人形２１の場合も、実施例２の場合のように横縞模様部１２を付した構成とすることもできる。
【００２５】
本実施例３によれば、実施例１の場合と同様、人間が健康維持、増進の目的で行うヨガのポーズをとる斬新で趣向に溢れた猫形状の人形２１を提供することができる。
【００２６】
また、本実施例３によれば、実施例１の場合と同様、全体寸法をそれぞれの目的に応じて大小に変えることで、幼児等が遊ぶための人形、携帯電話ストラップの根付け、財布飾り、ボールペントップ、キーホルダー飾り、ブローチ、ネックレス用、その他おまけ、景品、ノベリティ品等として広範囲に使用することができる。
【００２７】
更には、前記人形３１全体の平面形状を、フアッション関連商品としての各種Ｔシャツ、パジャマ、トレーナ、アンダーウェア、メリヤス製品、ハンカチ、スカーフ、テーブルウェア等や、更には、バッグ、持ち物、袋物、陶器製品等に付する装飾模様等としても応用できる。
【００２８】
次に、本実施例の種々の変形例について説明する。図４は、実施例３の人形２１の変形例である人形３１の姿態を示すものであり、実施例３の人形２１の姿態と同様であるが、片方の後足２の上げ角度を実施例３に比べ、より垂直に近い角度としたものである。この他の構成は実施例３の場合と同様である。
【００２９】
図４に示す人形３１によっても、実施例３の人形２１の場合と同様な作用、効果を発揮させることができる。
【００３０】
図５は本実施例の変形例である人形４１の姿態を示すものであり、全体として猫形状とし、その姿態を座位で振り向き形のヨガのポーズとる縫いぐるみ形態としたものである。即ち、この人形４１は、両後足２を曲げて座り、胴体３を伸ばし、頭部５及び顔部６を後方に振り向いた形とし、前足４を前方に出した姿態としたものである。
【００３１】
この人形４１の場合も、外被に赤色、青色、グレイ等所望の色に着色して構成したり、実施例２の場合のように横縞模様部１２を付した構成とすることもできる。この人形４１の場合においても、実施例３の人形２１の場合と同様な作用、効果を発揮させることができる。
【００３２】
図６は本実施例の変形例である人形５１の姿態を示すものであり、全体として猫形状とし、その姿態を後足立ち前方かがみ形のヨガのポーズをとる縫いぐるみ形態としたものである。即ち、この人形５１は、両後足２で立ち、胴体３を前方にかがみ込むように伸ばし、両前足４を揃えてその上に頭部５を載せ、更に尾部７を胴体３の上方に湾曲させた形態としたものである。
【００３３】
この人形５１の場合も、外被に赤色、青色、グレイ等所望の色に着色して構成したり、実施例２の場合のように横縞模様部１２を付した構成とすることもできる。この人形５１の場合においても、実施例３の人形２１の場合と同様な作用、効果を発揮させることができる。
【００３４】
図７は本実施例の変形例である人形６１の姿態を示すものであり、全体として猫形状とし、その姿態を前足立ち座位で後足後方伸ばし形のヨガのポーズをとる縫いぐるみ形態としたものである。即ち、この人形６１は、両前足４を着地して立ち、胴体３を後方に真っすぐ伸ばし、片方の後足２を曲げて座り、もう片方の後足２を後方に伸ばし、更に尾部７を斜め後上方に伸ばした形態としたものである。
【００３５】
この人形６１の場合も、外被に赤色、青色、グレイ等所望の色に着色して構成したり、実施例２の場合のように横縞模様部１２を付した構成とすることもできる。この人形６１の場合においても、実施例３の人形２１の場合と同様な作用、効果を発揮させることができる。
【００３６】
図８は、本実施例の変形例である人形７１の姿態を示すものであり、全体として猫形状とし、その姿態を後足立ち仰向け屈曲形のヨガのポーズをとる縫いぐるみ形態としたものである。即ち、この人形７１の場合は、両後足２で立ち、胴体３を仰向け屈曲形とし、かつ、両前足４と尾部７を着地した形態としたものである。
【００３７】
この人形７１の場合も、外被に赤色、青色、グレイ等所望の色に着色して構成したり、実施例２の場合のように横縞模様部１２を付した構成とすることもできる。この人形７１の場合においても、実施例３の人形２１の場合と同様な作用、効果を発揮させることができる。
【００３８】
図９は、本実施例の変形例である人形８１の姿態を示すものであり、全体として猫形状とし、その姿態を前足立ち両前足拝み形のヨガのポーズをとる縫いぐるみ形態としたものである。即ち、この人形８１は、両後足２で立ち、胴体３を少し前方に曲げ、両前足４を顔部６の前で拝む形態とし、更に尾部７を略垂直上方に伸ばした形態としたものである。この人形１の場合も、外被に赤色、青色、グレイ等所望の色に着色して構成したり、実施例２の場合のように横縞模様部１２を付した構成とすることもできる。この人形８１の場合においても、実施例３の人形２１の場合と同様な作用、効果を発揮させることができる。
【００３９】
図１０は、本実施例の変形例である人形９１の姿態を示すものであり、全体として猫形状とし、その姿態を座位で両後足２を開き、かつ、後足２を片方上げて頭部５の近傍まで伸ばし、片方の前足４で伸ばした後足２をつかみ、もう片方の前足４で上げた後足２をつかみ、更に尾部７を後斜め上方に伸ばした形のヨガのポーズをとる縫いぐるみ形態としたものである。
【００４０】
この人形９１の場合も、外被に赤色、青色、グレイ等所望の色に着色して構成したり、実施例２の場合のように横縞模様部１２を付した構成とすることもできる。この人形９１の場合においても、実施例３の人形２１の場合と同様な作用、効果を発揮させることができる。
【００４１】
図１１は、本実施例の変形例である人形１０１の姿態を示すものであり、全体として猫形状とし、その姿態を後足立ち前方屈曲形のヨガのポーズをとる縫いぐるみ形態としたものである。即ち、この人形１０１は、両後足２で立ち、胴体３を前方に屈曲させ頭部５を着地する直前の位置とするとともに、尾部７を後斜め上方に伸ばした形のヨガのポーズをとる形態としたものである。
【００４２】
この人形１０１の場合も、外被に赤色、青色、グレイ等所望の色に着色して構成したり、実施例２の場合のように横縞模様部１２を付した構成とすることもできる。この人形１０１の場合においても、実施例３の人形２１の場合と同様な作用、効果を発揮させることができる。
【００４３】
図１２は、本実施例の変形例である人形１１１の姿態を示すものであり、全体として猫形状とし、その姿態を横臥後足抱え形のヨガのポーズをとる縫いぐるみ形態としたものである。即ち、胴体３を曲げて横臥し、前足４で顔部６の近傍に伸ばした後足２を抱えたヨガのポーズをとる形態としている。
【００４４】
この人形１１１の場合も、外被に赤色、青色、グレイ等所望の色に着色して構成したり、実施例２の場合のように横縞模様部１２を付した構成とすることもできる。この人形１１１の場合においても、実施例３の人形２１の場合と同様な作用、効果を発揮させることができる。
【００４５】
図１３は、本実施例の変形例である人形１２１の姿態を示すものであり、全体として猫形状とし、その姿態を背部着地、後足頭部側への屈曲曲げ形のヨガのポーズをとる縫いぐるみ形態としたものである。即ち、頭部５及び背部を着地し、胴体３を屈曲状態に曲げ、両後足２を頭部５の前方で着地するとともに、両前足４を胴体３に添って真っすぐ伸ばしたヨガのポーズをとる形態としている。
【００４６】
この人形１２１の場合も、外被に赤色、青色、グレイ等所望の色に着色して構成したり、実施例２の場合のように横縞模様部１２を付した構成とすることもできる。この人形１２１の場合においても、実施例３の人形２１の場合と同様な作用、効果を発揮させることができる。
【００４７】
図１４は、本実施例の変形例である人形１３１の姿態を示すものであり、全体として猫形状とし、その姿態を前足着地逆立ち形のヨガのポーズをとる縫いぐるみ形態としたものである。即ち、両前足４を伸ばした着地し、胴体３を真っすぐ上方に伸ばし、両方の後足２を開脚状態としたヨガのポーズをとる形態としている。
【００４８】
この人形１３１の場合も、外被に赤色、青色、グレイ等所望の色に着色して構成したり、実施例２の場合のように横縞模様部１２を付した構成とすることもできる。この人形１３１の場合においても、実施例３の人形２１の場合と同様な作用、効果を発揮させることができる。
【００４９】
図１５は、本実施例の変形例である人形１４１の姿態を示すものであり、全体として猫形状とし、その姿態を胸部着地、後足片方上方上げ形のヨガのポーズをとる縫いぐるみ形態としたものである。即ち、頭部５の後部、背部及び伸ばした片方の後足２で着地し、もう片方の後足２を真っすぐ上方に伸ばした上向きのヨガのポーズをとる形態としたものである。
【００５０】
この人形１４１の場合も、外被に赤色、青色、グレイ等所望の色に着色して構成したり、実施例２の場合のように横縞模様部１２を付した構成とすることもできる。この人形１４１の場合においても、実施例３の人形２１の場合と同様な作用、効果を発揮させることができる。
【００５１】
図１６は、本実施例の変形例である人形１５１の姿態を示すものであり、全体として猫形状とし、その姿態を背部屈曲着地、両後足前方伸ばし形のヨガのポーズをとる縫いぐるみ形態としたものである。即ち、頭部５の後部、背部で屈曲した状態で着地し、胴体３顔部６の上方で斜めに伸ばし、更に両後足２を斜め前方に真っすぐ伸ばしたヨガのポーズをとる形態としたものである。
【００５２】
この人形１５１の場合も、外被に赤色、青色、グレイ等所望の色に着色して構成したり、実施例２の場合のように横縞模様部１２を付した構成とすることもできる。この人形１５１の場合においても、実施例３の人形２１の場合と同様な作用、効果を発揮させることができる。
【００５３】
図１７は、本実施例の変形例である人形１６１の姿態を示すものであり、全体として猫形状とし、その姿態を後転形で後足片方上方伸ばし形のヨガのポーズをとる縫いぐるみ形態としたものである。即ち、両前足４で着地し、胴体３を頭部５の上方で屈曲させ、片方の後足２を着地状態又は着地直前状態とし、もう片方の後足２を胴体３の上方へ真っすぐ伸ばしたヨガのポーズをとる形態としたものである。
【００５４】
この人形１６１の場合も、外被に赤色、青色、グレイ等所望の色に着色して構成したり、実施例２の場合のように横縞模様部１２を付した構成とすることもできる。この人形１６１の場合においても、実施例３の人形２１の場合と同様な作用、効果を発揮させることができる。
【００５５】
図１８は、本実施例の変形例である人形１７１の姿態を示すものであり、全体として猫形状とし、その姿態を左の前足４及び左の後足２の片方着地とし、右の前足４で右の後足２をつかむ形のヨガのポーズをとる縫いぐるみ形態としたものである。また、尾部７も伸ばして着地状態としている。
【００５６】
この人形１７１の場合も、外被に赤色、青色、グレイ等所望の色に着色して構成したり、実施例２の場合のように横縞模様部１２を付した構成とすることもできる。この人形１７１の場合においても、実施例３の人形２１の場合と同様な作用、効果を発揮させることができる。
【００５７】
図１９は、本実施例の変形例である人形１８１の姿態を示すものであり、全体として猫形状とし、その姿態を両後足２で着地し、胴体３及び両前足４を斜め後方に伸ばした背伸び形のヨガのポーズをとる縫いぐるみ形態としたものである。また、尾部７は後方に伸ばした状態としている。
【００５８】
この人形１８１の場合も、外被に赤色、青色、グレイ等所望の色に着色して構成したり、実施例２の場合のように横縞模様部１２を付した構成とすることもできる。この人形１８１の場合においても、実施例３の人形２１の場合と同様な作用、効果を発揮させることができる。
【００５９】
図２０は、本実施例の変形例である人形１９１の姿態を示すものであり、全体として猫形状とし、その姿態を両後足２を着地開脚形とし、左の前足４も伸ばして着地し、胴体３を左に傾け、右の前足４を斜め上方へ伸ばした形のヨガのポーズをとる縫いぐるみ形態としたものである。また、尾部７は後方に伸ばした状態としている。
【００６０】
この人形１９１の場合も、外被に赤色、青色、グレイ等所望の色に着色して構成したり、実施例２の場合のように横縞模様部１２を付した構成とすることもできる。この人形１９１の場合においても、実施例３の人形２１の場合と同様な作用、効果を発揮させることができる。
【００６１】
図２１は、本実施例の変形例である人形２０１の姿態を示すものであり、全体として猫形状とし、その姿態を両方の後足２、両方の前足４で着地し、胴体３を前屈し、尾部７を後方に伸ばした形のヨガのポーズをとる縫いぐるみ形態としたものである。また、尾部７は後方に伸ばした状態としている。
【００６２】
この人形２０１の場合も、外被に赤色、青色、グレイ等所望の色に着色して構成したり、実施例２の場合のように横縞模様部１２を付した構成とすることもできる。この人形２０１の場合においても、実施例３の人形２１の場合と同様な作用、効果を発揮させることができる。
【００６３】
図２２は、本実施例の変形例である人形２１１の姿態を示すものであり、全体として猫形状とし、その姿態を下向きで両後足２、両前足４で各々着地し、背部を伸ばした背伸び形のヨガのポーズをとる縫いぐるみ形態としたものである。また、尾部７は後方に伸ばした状態としている。
【００６４】
この人形２１１の場合も、外被に赤色、青色、グレイ等所望の色に着色して構成したり、実施例２の場合のように横縞模様部１２を付した構成とすることもできる。この人形２１１の場合においても、実施例３の人形２１の場合と同様な作用、効果を発揮させることができる。
【００６５】
図２３は、本実施例の変形例である人形２２１の姿態を示すものであり、全体として猫形状とし、その姿態を両後足２、両前足４で各々着地し、背部を丸めたヨガのポーズをとる縫いぐるみ形態としたものである。また、尾部７は後方に垂れ下げた状態としている。
【００６６】
この人形２２１の場合も、外被に赤色、青色、グレイ等所望の色に着色して構成したり、実施例２の場合のように横縞模様部１２を付した構成とすることもできる。この人形２２１の場合においても、実施例３の人形２１の場合と同様な作用、効果を発揮させることができる。
【００６７】
図２４は、本実施例の変形例である人形２３１の姿態を示すものであり、全体として猫形状とし、その姿態を横座り前向き形のヨガのポーズをとる縫いぐるみ形態としたものである。即ち、前向きで、胴体３、後足２、前足４をゆったりと伸ばし、尾部７を後方に伸ばし、頭部５を左に曲げた形のヨガのポーズとしている。
【００６８】
この人形２３１の場合も、外被に赤色、青色、グレイ等所望の色に着色して構成したり、実施例２の場合のように横縞模様部１２を付した構成とすることもできる。この人形２３１の場合においても、実施例３の人形２１の場合と同様な作用、効果を発揮させることができる。
【００６９】
図２５は、本実施例の変形例である人形２４１の姿態を示すものであり、全体として猫形状とし、その姿態を横臥右後足抱え形のヨガのポーズをとる縫いぐるみ形態としたものである。即ち、胴体３を横にし、尾部７を胴体３側に添えるように曲げ、右の後足２を顔部６の近傍に伸ばし、顔部６と両前足４で右の後足２を抱え込む形のヨガのポーズをとる形態としている。
【００７０】
この人形２４１の場合も、外被に赤色、青色、グレイ等所望の色に着色して構成したり、実施例２の場合のように横縞模様部１２を付した構成とすることもできる。この人形２４１の場合においても、実施例３の人形２１の場合と同様な作用、効果を発揮させることができる。
【００７１】
図２６は、本実施例の変形例である人形２５１の姿態を示すものであり、全体として猫形状とし、その姿態を両後足２を曲げて胡座形で座り、胴体３を真っすぐに伸ばし、両前足４を各々両後足２に添えた形のヨガのポーズをとる縫いぐるみ形態としたものである。
【００７２】
この人形２５１の場合も、外被に赤色、青色、グレイ等所望の色に着色して構成したり、実施例２の場合のように横縞模様部１２を付した構成とすることもできる。この人形２５１の場合においても、実施例３の人形２１の場合と同様な作用、効果を発揮させることができる。
【００７３】
図２７は、本実施例の変形例である人形２６１の姿態を示すものであり、全体として猫形状とし、その姿態を片方の後足２を曲げて座り、胴体３を後方に屈曲させ、もう片方の後足２を背部の後方に跳ね上げて頭部５の上で両前足４で後足２をつかむ形形としたヨガのポーズをとる縫いぐるみ形態としたものである。
【００７４】
この人形２６１の場合も、外被に赤色、青色、グレイ等所望の色に着色して構成したり、実施例２の場合のように横縞模様部１２を付した構成とすることもできる。この人形２６１の場合においても、実施例３の人形２１の場合と同様な作用、効果を発揮させることができる。
【００７５】
図２８は、本実施例の変形例である人形２７１の姿態を示すものであり、全体として猫形状とし、その姿態を両後足２で立ち、両前足４を上方に上げた跳躍形で、尾部７を斜め後方に上げたヨガのポーズをとる縫いぐるみ形態としたものである。
【００７６】
この人形２７１の場合も、外被に赤色、青色、グレイ等所望の色に着色して構成したり、実施例２の場合のように横縞模様部１２を付した構成とすることもできる。この人形２７１の場合においても、実施例３の人形２１の場合と同様な作用、効果を発揮させることができる。
【００７７】
図２９は、本実施例の変形例である人形２８１の姿態を示すものであり、全体として猫形状とし、その姿態を両前足４で立ち、両後足２を後方に伸ばして立ち、背伸び咆哮形で、尾部７を後方に上げたヨガのポーズをとる縫いぐるみ形態としたものである。
【００７８】
この人形２８１の場合も、外被に赤色、青色、グレイ等所望の色に着色して構成したり、実施例２の場合のように横縞模様部１２を付した構成とすることもできる。この人形２８１の場合においても、実施例３の人形２１の場合と同様な作用、効果を発揮させることができる。
【００７９】
図３０は、本実施例の変形例である人形２９１の姿態を示すものであり、全体として猫形状とし、その姿態を後足２を曲げて座り、胴体３を真っすぐ上方に伸ばし、もう片方の後足２を頭部５の後方に跳ね上げ、両前足４を合掌形とし、更に尾部７を斜め後方に上げたヨガのポーズをとる縫いぐるみ形態としたものである。
【００８０】
この人形２９１の場合も、外被に赤色、青色、グレイ等所望の色に着色して構成したり、実施例２の場合のように横縞模様部１２を付した構成とすることもできる。この人形２９１の場合においても、実施例３の人形２１の場合と同様な作用、効果を発揮させることができる。
【００８１】
図３１は、本実施例の変形例である人形３０１の姿態を示すものであり、全体として猫形状とし、その姿態を後足２で立ち、もう片方の後足２を後方に真っすぐに伸ばし、前足４を前方に伸ばし、もう片方の前足４を胴体３に添え、尾部７を斜め後方に伸ばした形のヨガのポーズをとる縫いぐるみ形態としたものである。
【００８２】
この人形３０１の場合も、外被に赤色、青色、グレイ等所望の色に着色して構成したり、実施例２の場合のように横縞模様部１２を付した構成とすることもできる。この人形３０１の場合においても、実施例３の人形２１の場合と同様な作用、効果を発揮させることができる。
【００８３】
図３２は、本実施例の変形例である人形３１１の姿態を示すものであり、全体として猫形状とし、その姿態を両後足２を開いて立ち、胴体３を斜め横に向け、前足４を斜め上方に伸ばし、もう片方の前足４を胴体３の横位置とし、尾部７を後方に伸ばした形のヨガのポーズをとる縫いぐるみ形態としたものである。
【００８４】
この人形３１１の場合も、外被に赤色、青色、グレイ等所望の色に着色して構成したり、実施例２の場合のように横縞模様部１２を付した構成とすることもできる。この人形３１１の場合においても、実施例３の人形２１の場合と同様な作用、効果を発揮させることができる。
【００８５】
図３３は、本実施例の変形例である人形３２１の姿態を示すものであり、全体として猫形状とし、その姿態を後足２で立ち、もう片方の後足２を前方に伸ばし、胴体３、両前足４を踊り姿とし、顔部６を斜め上方に向け、尾部７を後方に伸ばした形のヨガのポーズをとる縫いぐるみ形態としたものである。
【００８６】
この人形３２１の場合も、外被に赤色、青色、グレイ等所望の色に着色して構成したり、実施例２の場合のように横縞模様部１２を付した構成とすることもできる。この人形３２１の場合においても、実施例３の人形２１の場合と同様な作用、効果を発揮させることができる。
【００８７】
図３４は、本実施例の変形例である人形３３１の姿態を示すものであり、全体として猫形状とし、その姿態を胴体３を丸めた前かがみ座位で首を曲げて顔部６を後向きとし、右の後足２を伸ばして着地し、左の後足２を後方に上げ、尾部７を胴体３の下に丸め込んだヨガのポーズをとる縫いぐるみ形態としたものである。
【００８８】
この人形３３１の場合も、外被に赤色、青色、グレイ等所望の色に着色して構成したり、実施例２の場合のように横縞模様部１２を付した構成とすることもできる。この人形３３１の場合においても、実施例３の人形２１の場合と同様な作用、効果を発揮させることができる。
【００８９】
図３５は、本実施例の変形例である人形３４１の姿態を示すものであり、全体として猫形状とし、その姿態を背部及び両後足２を真っすぐに伸ばした着地姿勢で、前足４を胴体３に添え、尾部７も両後足２と同方向に伸ばし、首（顔部６）横向き形のヨガのポーズをとる縫いぐるみ形態としたものである。
【００９０】
この人形３４１の場合も、外被に赤色、青色、グレイ等所望の色に着色して構成したり、実施例２の場合のように横縞模様部１２を付した構成とすることもできる。この人形３４１の場合においても、実施例３の人形２１の場合と同様な作用、効果を発揮させることができる。
【００９１】
図３６は、本実施例の変形例である人形３４１の姿態を示すものであり、全体として猫形状とし、その姿態を前向きで後足２を着地し、前足４の片方を口で嘗める形とし、更に尾部７を丸めた形のヨガのポーズをとる縫いぐるみ形態としたものである。
【００９２】
この人形３５１の場合も、外被に赤色、青色、グレイ等所望の色に着色して構成したり、実施例２の場合のように横縞模様部１２を付した構成とすることもできる。この人形３５１の場合においても、実施例３の人形２１の場合と同様な作用、効果を発揮させることができる。
【産業上の利用可能性】
【００９３】
本考案は、上述したようなヨガのポーズをとる猫形の縫いぐるみ人形について適用する場合の他、四つ足を有する犬や鼠等の形状の縫いぐるみ人形に関しても広範に適用可能である。
【図面の簡単な説明】
【００９４】
【図１】本考案の実施例１に係る人形１の正面から見た概略斜視図である。
【図２】本考案の実施例２に係る人形１１の正面から見た概略斜視図である。
【図３】本考案の実施例３に係る人形２１の正面から見た概略斜視図である。
【図４】本考案の実施例３に係る人形２１の変形例である人形３１を簡略化して示す姿態説明図である。
【図５】本実施例の変形例である人形４１を簡略化して示す姿態説明図である。
【図６】本実施例の変形例である人形５１を簡略化して示す姿態説明図である。
【図７】本実施例の変形例である人形６１を簡略化して示す姿態説明図である。
【図８】本実施例の変形例である人形７１を簡略化して示す姿態説明図である。
【図９】本実施例の変形例である人形８１を簡略化して示す姿態説明図である。
【図１０】本実施例の変形例である人形９１を簡略化して示す姿態説明図である。
【図１１】本実施例の変形例である人形１０１を簡略化して示す姿態説明図である。
【図１２】本実施例の変形例である人形１１１を簡略化して示す姿態説明図である。
【図１３】本実施例の変形例である人形１２１を簡略化して示す姿態説明図である。
【図１４】本実施例の変形例である人形１３１を簡略化して示す姿態説明図である。
【図１５】本実施例の変形例である人形１４１を簡略化して示す姿態説明図である。
【図１６】本実施例の変形例である人形１５１を簡略化して示す姿態説明図である。
【図１７】本実施例の変形例である人形１６１を簡略化して示す姿態説明図である。
【図１８】本実施例の変形例である人形１７１を簡略化して示す姿態説明図である。
【図１９】本実施例の変形例である人形１８１を簡略化して示す姿態説明図である。
【図２０】本実施例の変形例である人形１９１を簡略化して示す姿態説明図である。
【図２１】本実施例の変形例である人形２０１を簡略化して示す姿態説明図である。
【図２２】本実施例の変形例である人形２１１を簡略化して示す姿態説明図である。
【図２３】本実施例の変形例である人形２２１を簡略化して示す姿態説明図である。
【図２４】本実施例の変形例である人形２３１を簡略化して示す姿態説明図である。
【図２５】本実施例の変形例である人形２４１を簡略化して示す姿態説明図である。
【図２６】本実施例の変形例である人形２５１を簡略化して示す姿態説明図である。
【図２７】本実施例の変形例である人形２６１を簡略化して示す姿態説明図である。
【図２８】本実施例の変形例である人形２７１を簡略化して示す姿態説明図である。
【図２９】本実施例の変形例である人形２８１を簡略化して示す姿態説明図である。
【図３０】本実施例の変形例である人形２９１を簡略化して示す姿態説明図である。
【図３１】本実施例の変形例である人形３０１を簡略化して示す姿態説明図である。
【図３２】本実施例の変形例である人形３１１を簡略化して示す姿態説明図である。
【図３３】本実施例の変形例である人形３２１を簡略化して示す姿態説明図である。
【図３４】本実施例の変形例である人形３３１を簡略化して示す姿態説明図である。
【図３５】本実施例の変形例である人形３４１を簡略化して示す姿態説明図である。
【図３６】本実施例の変形例である人形３５１を簡略化して示す姿態説明図である。
【符号の説明】
【００９５】
１  人形
２  後足
３  胴体
４  前足
５  頭部
６  顔部
７  尾部
１１  人形
１２  横縞模様部
２１  人形
３１  人形
４１  人形
５１  人形
６１  人形
７１  人形
８１  人形
９１  人形
１０１  人形
１１１  人形
１２１  人形
１３１  人形
１４１  人形
１５１  人形
１６１  人形
１７１  人形
１８１  人形
１９１  人形
２０１  人形
２１１  人形
２２１  人形
２３１  人形
２４１  人形
２５１  人形
２６１  人形
２７１  人形
２８１  人形
２９１  人形
３０１  人形
３１１  人形
３２１  人形
３３１  人形
３４１  人形
３５１  人形
【図１】
0003116698.tif 000003
【図２】
0003116698.tif 000004
【図３】
0003116698.tif 000005
【図４】
0003116698.tif 000006
【図５】
0003116698.tif 000007
【図６】
0003116698.tif 000008
【図７】
0003116698.tif 000009
【図８】
0003116698.tif 000010
【図９】
0003116698.tif 000011
【図１０】
0003116698.tif 000012
【図１１】
0003116698.tif 000013
【図１２】
0003116698.tif 000014
【図１３】
0003116698.tif 000015
【図１４】
0003116698.tif 000016
【図１５】
0003116698.tif 000017
【図１６】
0003116698.tif 000018
【図１７】
0003116698.tif 000019
【図１８】
0003116698.tif 000020
【図１９】
0003116698.tif 000021
【図２０】
0003116698.tif 000022
【図２１】
0003116698.tif 000023
【図２２】
0003116698.tif 000024
【図２３】
0003116698.tif 000025
【図２４】
0003116698.tif 000026
【図２５】
0003116698.tif 000027
【図２６】
0003116698.tif 000028
【図２７】
0003116698.tif 000029
【図２８】
0003116698.tif 000030
【図２９】
0003116698.tif 000031
【図３０】
0003116698.tif 000032
【図３１】
0003116698.tif 000033
【図３２】
0003116698.tif 000034
【図３３】
0003116698.tif 000035
【図３４】
0003116698.tif 000036
【図３５】
0003116698.tif 000037
【図３６】
0003116698.tif 000038